(57)【要約】【課題】本発明は、自動可変型の風向案内装置を備え、ルーバーを室内機本体から容易に取外し可能として塵埃の除去等の作業ができ、再び室内機本体にルーバーを容易に取付けられ作業性の向上を図れる空気調和機の室内機を提供する。【解決手段】吸込み口４と吹出し口９を備えた室内機本体１内に熱交換器１０および室内送風機１３を収容し、この室内送風機と吹出し口とを連通する送風路１８を設け、上記吹出し口に風向案内装置Ｓを具備し、この風向案内装置は、揺動モータ４０と、この揺動モータによって往復駆動される動力伝達機構２５と、この動力伝達機構の往復運動にともなって回動変位し吹出し口から送風される風の案内方向を定める複数枚の左右ルーバー２２とを備え、左右ルーバーは動力伝達機構２５に着脱自在に取付けられる。【選択図】　　　図２
2004069165.tif 000002
【特許請求の範囲】
【請求項１】
前部に吸込み口を備え、前面下部に吹出し口を備えた室内機本体と、
この室内機本体内に収容される熱交換器および上記吸込み口から室内空気を吸込んで上記熱交換器に流通させ、互いに熱交換させる室内送風機と、
この室内送風機と上記吹出し口とを連通し、室内送風機から導かれる熱交換空気を吹出し口に案内する送風路と、
上記吹出し口に設けられ、吹出し口から吹出される熱交換空気の吹出し方向を設定する風向案内装置とを具備し、
上記風向案内装置は、
駆動源と、上記吹出し口に長手方向に沿って延在され上記駆動源によって往復駆動される動力伝達機構と、この動力伝達機構と機械的に連結され、動力伝達機構の往復運動にともなって回動変位し上記吹出し口からの送風案内方向を定める複数枚の左右ルーバーとを備え、
上記左右ルーバーは、上記送風路に対して着脱自在に取付けられるとともに、上記動力伝達機構に対して掛脱自在に連結されることを特徴とする空気調和機の室内機。
【請求項２】
上記風向案内装置の駆動源および動力伝達機構は、上記送風路の室内送風機に対するノーズ部分の裏面側に配置されることを特徴とする請求項１記載の空気調和機の室内機。
【請求項３】
上記風向案内装置における上記動力伝達機構は、互いに直状に配置される左右一対の駆動軸体と、これら駆動軸体相互間に介在され駆動軸体端部相互間距離を調整自在なクラッチ機構とを備え、
上記左右ルーバーは、複数枚ごとに一対のルーバーベースに支持され、それぞれのルーバーベースが上記送風路に着脱自在に掛合されることを特徴とする請求項１および請求項２のいずれかに記載の空気調和機の室内機。
【発明の詳細な説明】
【０００１】
【発明の属する技術分野】
本発明は、室内機と室外機とから構成される空気調和機に係り、特に、室内機における風向案内装置の改良に関する。
【０００２】
【従来の技術】
室内機と室外機とから構成される空気調和機が多用されている。室内機においては、本体に吸込み口および吹出し口を備え、本体内部には熱交換器および送風機などが収容される。
上記吹出し口には風向案内装置が備えられていて、送風方向を適宜選択できるようになっている。上記風向案内装置は、複数枚のルーバー（羽根板）を並行に並べて、その角度を人為的に変更可能として吹出し方向を固定的にしたものと、駆動源に連結して空調運転中はいわゆる首振り運動をなすものとがある。
上記ルーバーにおいても、水平方向を設定する水平ルーバーと、左右方向を設定する左右ルーバーとがある。普通、水平ルーバーが吹出し口の開口端側に取付けられ、左右ルーバーがその奥側の送風路途中に取付けられていて、それぞれが独立して調整可能である。
【０００３】
【発明が解決しようとする課題】
ところで、冷房運転や除湿運転を行うと、乾燥化した熱交換空気が吹出し口から吹出され、暖房運転は乾燥した気象条件が多い冬季に運転される。いずれにしても、吹出し口周辺は湿度が低下して静電気が発生し易い。
したがって、長期の使用に亘ると風向案内装置は静電気の影響で塵埃が付着して汚れが目立ち、非衛生的となる。そのため、使用者側が吹出し口周辺の風向案内装置を容易に清掃できるような構成とすることが望ましい。
【０００４】
ルーバーの角度を人為的に操作するようにした風向案内装置は、その両端軸部が室内機本体に設けられる支持部に掛脱自在となっていて、必要に応じて容易に着脱できる。
これに対して自動的に首振り運動をなす風向案内装置は、駆動源であるモータの回動軸に動力伝達機構が連結され、さらにこの動力伝達機構はルーバーベースに支持された複数枚のルーバーと連結される。
【０００５】
したがって、この種の風向案内装置を備えた室内機では、ルーバーの汚れが目立っても室内機本体から取外しすることができず、そのままの状態で清掃具を差込んで清掃するしかない。当然、清掃し難く、完全に塵埃を除去することは不可能である。
特に、水平ルーバーの場合は吹出し口の開口端側に取付けられているので比較的容易に清掃できるが、左右ルーバーの場合はこの奥側に取付けられているので、たとえ水平ルーバーを取外しできても、左右ルーバーをその位置で完全清掃するには極めて困難である。
【０００６】
本発明は上記事情に鑑みなされたものであり、その目的とするところは、自動可変型の風向案内装置を備え、左右ルーバーを室内機本体から容易に取外し可能として塵埃の除去等の作業ができ、その作業の終了後は再び室内機本体の所定の部位に左右ルーバーを容易に取付けられるようにして、作業性の向上を図れる空気調和機の室内機を提供しようとするものである。
【０００７】
【課題を解決するための手段】
上記目的を満足するため本発明は、前部に吸込み口、前面下部に吹出し口を備えた室内機本体内に、熱交換器および室内送風機を収容し、室内送風機と吹出し口とを連通する送風路が設けられ、吹出し口から吹出される熱交換空気の吹出し方向を設定する風向案内装置を具備し、
上記風向案内装置は、駆動源と、吹出し口に長手方向に沿って延在され駆動源によって往復駆動される動力伝達機構と、この動力伝達機構と機械的に連結され回動変位して吹出し口からの送風案内方向を定める複数枚の左右ルーバーとを備え、上記左右ルーバーは、送風路に対して着脱自在に取付けられるとともに、動力伝達機構に対して掛脱自在に連結される。
【０００８】
さらに、上記風向案内装置の駆動源と動力伝達機構は、送風路の室内送風機に対するノーズ部分の裏面側に配置され送風路内にはほとんど露出しない。
さらに、上記風向案内装置の動力伝達機構は、互いに直状に配置される左右一対の駆動軸体と、これら駆動軸体相互間に介在され駆動軸体端部相互間距離を調整自在なクラッチ機構とを備え、上記左右ルーバーは、複数枚ごとに一対のルーバーベースに支持され、それぞれのルーバーベースが上記送風路に着脱自在に掛合される。
上記課題を解決する手段を採用することにより、自動可変型の風向案内装置を備え、左右ルーバーを室内機本体から容易に取外し可能として塵埃の除去等の作業ができ、その作業の終了後は再び室内機本体の所定の部位に左右ルーバーを容易に取付けられるようにして、作業性の向上を図れる。
【０００９】
【発明の実施の形態】
以下、本発明の一実施の形態を図面にもとづいて説明する。
図１は空気調和機を構成する室内機の外観の斜視図であり、図２は室内機の概略の縦断面図である。
【００１０】
室内機本体１は、前面パネル２と後板３とから構成されていて、上下方向に対して幅方向が極端に長い横長状をなす。前面パネル２は、湾曲して手前側に突出し、かつ左右両側に側面板１ａを備えている。後板３は、横長の矩形状をなし被空調室の壁面に取付けられる。
上記前面パネル２の前面側一部に前部吸込み口４が開口され、開閉駆動機構５に支持された可動パネル２ａが嵌め込まれている。運転停止時において、可動パネル２ａは前面パネル２と同一面となり前部吸込み口４を閉成するが、運転時には手前側に突出変位して前部吸込み口を開放するよう制御される。
【００１１】
前面パネル２および後板３の上部に亘って上部吸込み口６が設けられる。上部吸込み口６には枠状の桟７が嵌め込まれていて、この桟によって複数の空間部に仕切られている。
上記可動パネル２ａ下部には、前面パネル２の一部を構成する半透明材からなる化粧板２ｂが室内機本体１の幅方向に亘って設けられる。この化粧板２ｂの下部側には、２枚の水平ルーバー８ａ，８ｂが並行して設けられる。
【００１２】
各水平ルーバー８ａ，８ｂは、室内機本体１の前面下部に沿って設けられる吹出し口９を開閉するとともに、運転条件に応じて水平方向の姿勢角度を可変し熱交換空気の吹出し方向を設定する。
なお、この水平ルーバー８ａ，８ｂは後述する左右ルーバー２２とともに風向案内装置Ｓを構成している。そして、左右ルーバー２２および水平ルーバー８ａ，８ｂはともに室内機本体１に着脱自在に取付けられる。
【００１３】
室内機本体１内には、前側熱交換器部１０Ａと後側熱交換器部１０Ｂとで略逆Ｖ字状に形成される熱交換器１０が配置される。上記前側熱交換器部１０Ａは、前面パネル２と間隙を存してほぼ平行な湾曲状に形成され、かつ後側熱交換器部１０Ｂは直状に形成されて上部吸込み口６と斜めに傾斜して対向する。
一方、前部吸込み口４と上部吸込み口６とに対向する室内機本体１内にエアーフィルタ１１が取付けられる。このエアーフィルタ１１は各吸込み口４，６と前部熱交換器部１０Ａと上部熱交換器部１０Ｂとの間に介在され、開放した吹出し口９上端と前面パネル２下端の間から着脱自在に挿着される。
【００１４】
上記熱交換器１０の前側熱交換器部１０Ａの前面側で、かつ室内機本体１に対する正面視で右端部側にずれた位置に電気集塵機１２が取付けられる。この電気集塵機１２は、流通する空気中の塵埃に電荷を与える荷電側電極と、電荷を与えられた塵埃を引きつけて捕捉する集塵側電極とから構成される。
上記電気集塵機１２は、通常の集塵時と同様に荷電側電極に高電圧を印加すると、少量のオゾンが発生するが、このとき、周囲の空気の流れを制限するため送風機１３を停止もしくは超低速運転とすると、電気集塵機１２に室内空気が殆ど流通しなくなるため、発生したオゾンが消滅せずに室内機本体内に徐々に充満するよう作用し、室内機本体内の殺菌を行うオゾン発生装置として機能する。
【００１５】
上記熱交換器１０の前後側熱交換器部１０Ａ，１０Ｂの相互間で、かつ上記吹出し口９との間に室内送風機１３が配置される。すなわち、傘状に形成される熱交換器１０の内側に上記室内送風機１３が位置している。
上記前側熱交換器部１０Ａの下端部は前ドレンパン１６ａ上に載り、後側熱交換器部１０Ｂの下端部は後ドレンパン１６ｂ上に載って、それぞれの熱交換器部１０Ａ，１０Ｂから滴下するドレン水を受け、図示しない排水ホースを介して外部に排水できるようになっている。
【００１６】
前後ドレンパン１６ａ，１６ｂの一部側壁外面は、上記室内送風機１３に近接した位置に設けられる。特に、前ドレンパン１６ａには室内送風機１３の横流ファンに対するノーズ２０が一体的に組み立てられる。
上記ノーズ２０と前後ドレンパン１６ａ，１６ｂの側壁部分および、上記吹出し口９の両側部は、隔壁部材１７によって連結される。この隔壁部材１７で囲まれる空間が、ノーズ２０と上記吹出し口９とを連通する送風路１８となる。
【００１７】
図３は、上記吹出し口９と上記送風路１８を拡大して示す断面図である。
上述したように、上記吹出し口９には水平方向の風向を案内する水平ルーバー８ａ，８ｂが備えられ、これら水平ルーバーの奥側における上記送風路１８には左右方向の風向を案内する左右ルーバー２２が備えられて、これらで風向案内装置Ｓを構成する。
【００１８】
上記水平ルーバー８ａ，８ｂは、前後２列に並行に設けられていて、図示しない駆動源に連結され回動駆動される。各水平ルーバー８ａ，８ｂの左右両側端に三角状リブａが設けられていて、掛止ピンｂが突設され室内機本体１の図示しない軸孔に軸支される。
上記掛止ピンｂは、上記駆動源に連結されていて、水平ルーバー８ａ，８ｂの姿勢角度を変更できるとともに、水平ルーバー自体が吹出し口９から着脱自在となっている。
【００１９】
上記左右ルーバー２２については、図４以下に詳細な構成を示していて追って詳述するが、ここでは左右ルーバー２２は上記ノーズ２０に移動変位自在に支持される動力伝達機構２５を介して回動駆動される、ことの説明に留める。
上記ノーズ２０は断面略Ｌ字状に形成されていて、表面側が上記送風路１８に面している。ノーズ２０の裏面側に上記動力伝達機構２５が配置されていて、上記送風路１８中には動力伝達機構２５がほとんど露出していない。
【００２０】
このようにして構成される空気調和機の室内機であって、リモコンの運転スイッチをオンに切換えると、前面パネル２の一部をなす可動パネル２ａが前部吸込み口４を開放する。
また、冷房運転と暖房運転の指定に応じて吹出し口９に備えられる水平ルーバー８ａ，８ｂが回動し、かつその姿勢が設定される。上記左右ルーバー２２は、いわゆる首振り運動をして熱交換空気が一部に集中することなく、広い範囲に亘って吹出されるようにする。
【００２１】
室内送風機１３が送風作用をなす一方で、室外機の圧縮機が駆動され冷凍サイクル運転が開始される。室内空気は、上部吸込み口６と前部吸込み口４から室内機本体１内に導かれ、エアーフィルタ１１を通過する。
室内空気中に含まれるほとんどの塵埃はエアーフィルタ１１によって捕捉され、塵埃が除去された状態で熱交換器１０を通過して熱交換作用が行われる。この熱交換空気は送風路１８に導かれ、風向案内装置Ｓを構成する左右ルーバー２２の首振り運動によって左右方向に広い範囲に吹出し方向が設定される。
【００２２】
上記左右ルーバー２２を駆動する動力伝達機構２５は、送風路１８の裏面側に配置されていて、そのほとんど大部分は送風路中に露出していないから、送風路１８に導かれる熱交換空気に対して通風抵抗にならないですむ。
熱交換空気が吹出し口９に到達し通過すると、上記水平ルーバー８ａ，８ｂの水平姿勢に応じて吹出し方向が設定され、室内に吹出されて効率のよい空調運転を継続する。
【００２３】
また、上記電気集塵機１２を機能させることにより、エアーフィルタ１１を通過した細かい塵埃は完全に捕捉され、清浄化した空気が熱交換器１０を介して吹出し口９から室内に吹出される。
つぎに、上記左右ルーバー２２に係る風向案内装置Ｓについて説明する。
図４は風向案内装置Ｓの一部を拡大した斜視図、図５（Ａ）は室内機本体１からノーズ２０部分に取付けられた風向案内装置Ｓを取り出して上方から見た斜視図、図５（Ｂ）は風向案内装置Ｓの一部を取外して下方から見た斜視図、図６はノーズ２０を取除いた風向案内装置Ｓの斜視図である。
【００２４】
上記風向案内装置Ｓは、揺動駆動される回動軸ｄを備えた駆動源である揺動モータ４０と、この揺動モータの回動軸に機械的に連結される上記動力伝達機構２５と、この動力伝達機構の往復運動にともなって風の案内方向を定める上記左右ルーバー２２とを備えている。
なお説明すれば、上記揺動モータ４０は上記ノーズ２０の左側端からわずかに離間した位置の室内機本体１部位に適宜な手段をもって取付け固定される。揺動モータ４０の回動軸ｄは下方に延出され、この回動軸の下端部に動力伝達機構２５を構成する駆動カム２６が取付けられている。
【００２５】
上記駆動カム２６は、上記ノーズ２０の長手方向と並行して、ノーズの端部近傍まで延在される駆動アーム２７の一端に掛合している。上記駆動アーム２７の他端は、このアームとほぼ直角方向に延在される中間アーム２８の端部にピンを介して回動自在に連結される。
上記中間アーム２８は、上記ノーズ２０の下面側に摺接自在に取付けられていて、実際には動力伝達機構２５の一部が上記送風路１８の表面側に露出することになるが、その位置がノーズの一側端部であり、しかもわずかな長さであるのでほとんど通風抵抗にはならないですむ。
【００２６】
上記中間アーム２８の他端部は、上記ノーズ２０の上面側に沿って移動自在に支持される第１の駆動軸体２９に適宜な手段を介して回動自在に連結される。上記第１の駆動軸体２９は、後述するクラッチ機構３０を介して第２の駆動軸体３１に連結されている。
したがって、これら第１の駆動軸体２９とクラッチ機構３０および第２の駆動軸体３１がノーズ２０の長手方向に沿う上面に直線状となって配置され、これらは送風路１８中に全く露出しない。
【００２７】
第１の駆動軸体２９の図において左側端部と、第２の駆動軸体３１の図において左側端部には、それぞれ後方に突出する作動用突起３２が一体に設けられる。これら作動用突起３２は、左右一対のルーバーベース３３に設けられる受け用カム３４に掛合するようになっている。
なお説明すれば、上記ノーズ２０には左右一対のルーバーベース３３を着脱自在に支持するための長孔状の開口部３５が左右一対設けられている。上記ルーバーベース３３には、所定間隔を存して複数のブッシング３６が設けられていて、それぞれのブッシング３６に左右ルーバー２２の支軸部ｅが回動自在に嵌合されている。
【００２８】
各々のルーバーベース３３の左右両端部には逆Ｕ字状に形成された、弾性変形可能なフック部ｆが一体的に設けられ、上記ノーズ開口部３５の両側端に掛脱自在に係止されるようになっている。ルーバーベース３３がノーズ２０に取付けられた状態で、ルーバーベース３３はノーズ２０と同一の平面をなす。
上記左右ルーバー２２はルーバーベース３３の下面側にあって、上記送風路１８中に突出している。そして、各ルーバーベース３３における全ての左右ルーバー２２に亘って風向調整用バー３７が、ピンと長孔からなる回動機構Ｇを介して回動自在に架設されている。
【００２９】
この風向調整用バー３７の中央部には摘み部ｊが一体に突設されていて、吹出し口９に対して上記水平ルーバー８ａ，８ｂを開放状態にしたとき、吹出し口に手指を差込めば上記摘み部ｊを操作できるようになっている。
すなわち、上記摘み部ｊをもって風向調整用バー３７を左方もしくは右方に移動操作すれば、回動機構Ｇを介してバーと連結する全ての左右ルーバー２２の向きが一斉に変更する。
【００３０】
また、１枚の左右ルーバー２２を回動すれば、風向調整用バー３７の回動機構Ｇを介して他の左右ルーバー２２も一斉にその方向に向く、いわゆる平行リンク機構を構成している。
このようにして構成される左右ルーバー２２にかかわる風向案内装置Ｓであって、揺動モータ４０を駆動することにより回動軸ｄが所定角度の範囲で回動駆動される。
【００３１】
したがって、駆動カム２６が回動して駆動バー２７を駆動し、中間バー２８を介して第１の駆動軸体２９と第２の駆動軸体３１はクラッチ機構３０とともに所定量往復駆動される。
これら第１、第２の駆動軸体２９，３１等の往復運動は、第１、第２の駆動軸体の作動用突起３２と左側端に位置する左右ルーバー２２の受け用カム３４との掛合により、その左右ルーバー２２の回動変位に換えられる。
【００３２】
左側端左右ルーバー２２の回動にともない回動機構Ｇを介して風向調整用バー３７の往復動に変換され、このバーに連結される他の左右ルーバー２２が一斉に回動変位する。結局、揺動モータ４０の作用が動力伝達機構２５を介して全ての左右ルーバー２２に伝達され、左右ルーバーはいわゆる首振り運動をなす。
このようにして、空調運転中は継続して、左右ルーバー２２により熱交換空気の吹出し方向を自動的に変更する。熱交換空気は広い範囲に亘って吹出され、効率のよい熱交換作用がなされる。
【００３３】
長期の使用に亘ると各左右ルーバー２２に塵埃が付着するので、これを除去しなければならない。このときは、はじめに水平ルーバー８ａ，８ｂを取外し、ついで左右ルーバー２２を取外して、手元に置いて掃除をした方が安全であり、かつ確実である。
そこで、上記ルーバーベース３３の左右両端部を持って、これを下方に引張り付勢する。ルーバーベース３３のフック部ｆがノーズ開口部３５の両側端から外れて、ノーズ２０から離間する。同時に、ルーバーベース３３の受け用カム３４が各駆動軸体２９，３１の作動用突起３２から離間する。
【００３４】
すなわち、特に図５（Ｂ）で示す左側のルーバーベース３３のようにノーズ２０から取外しできる。そして、図６に示す左側のルーバーベース３３のように、受け用カム３４が第１の駆動棒２９の作動用突起３２から離間し、左右ルーバー２２を動力伝達機構２５から取り外しできる。
取外したルーバーベース３３を手元に置いて、各左右ルーバー２２に付着していた塵埃を除去し完全に清掃が完了した後は、再び室内機本体１に取付ける。すなわち、ルーバーベース３３の両側端部を持って室内機本体１まで差し上げ、さらに吹出し口９を介して送風路１８に挿入する。
【００３５】
ルーバーベース３３をノーズ開口部３５に対向させ、その位置を変えずにルーバーベースを押上げてフック部ｆを開口部端に掛合すればよい。同時に、受け用カム３４が各駆動棒２９，３１の作動用突起３２に掛合する。
したがって、左右ルーバー２２は再び所定位置に組み込まれ、かつ再び動力伝達機構２５に機械的に連結される。再び空調運転をなせば、各左右ルーバー２２が一体になって回動する。
【００３６】
このようにして、左右ルーバー２２をノーズ２０に対して極く容易に着脱自在であるとともに、左右ルーバー２２を動力伝達機構２５に対して極く容易に掛脱自在に連結でき、作業性の大幅向上を得られる。
つぎに、上記クラッチ機構３０について詳述する。
【００３７】
図７はクラッチ機構３０の拡大した斜視図であり、図８（Ａ）（Ｂ）（Ｃ）はクラッチ機構３０のそれぞれ異なる状態と、それにともなう左右ルーバー２２の姿勢変更状態を示している。
上記クラッチ機構３０は、第１の駆動軸体２９の右側端部に一体に設けられる受け部４２と、第２の駆動軸体３１の左側端部に一体に設けられる挿嵌部４３とからなっている。
【００３８】
上記受け部４２は、端面側が開口され、長手方向に沿って所定長さの位置に壁面部ｎを備え、上面が開口する断面凹溝状に形成される。さらに、受け部４２の上面一部を覆うようにして、溝底方向に爪部が突設される爪蓋４４が一体に設けられる。
上記挿嵌部４３は、受け部４２の開口端から内部に差し込まれ、かつ移動変位自在となるよう、受け部の開口面積に対して挿嵌部４３の断面積が小に形成されている。挿嵌部４３の上面側には長手方向に沿って連続する三角溝からなる波状掛止部４５が設けられている。
【００３９】
この波状掛止部４５に上記爪蓋４４の爪部が掛合していて、受け部４２と挿嵌部４３の互いの位置が保持される。そして、波状掛止部４５に対して爪蓋４４の爪部位置を自由に選択でき、かつ自在に位置が可変できる。
このようにして構成されるクラッチ機構３０は、上記ノーズ２０に一体に設けられる支持片部４６により抱持状態で支持されていて、クラッチ機構３０全体が上記支持片部４６に対して移動変位自在である。
【００４０】
したがって、上記揺動モータ４０によって往復駆動される第１の駆動軸体２９および第２の駆動軸体３１と一体にクラッチ機構３０が変位するのに何らの支障もない。
また、上述した左右の上記風向調整用バー３７の摘み部ｊをもってクラッチ機構３０に対する簡単な操作を行うことにより、左右のルーバーベース３３に支持される左右ルーバー２２の向きを適宜自在に変更できる。
【００４１】
たとえば、図８（Ａ）に示すように、クラッチ機構３０を構成する挿嵌部４３を、その端面が受け部４２の壁面部ｎと最浅位置との間の中間部に位置するよう差込む。これは、図７で示す状態とほとんど同一である。
このとき、左右のルーバーベース３３に支持された左右ルーバー２２相互が支軸ｅを支点として先端部が回動し、互いにほとんど同一の角度に向く。すなわち、左右の左右ルーバー２２が並行状になる。
【００４２】
これに対して、図８（Ｂ）に示すように、クラッチ機構３０を構成する受け部４２の壁面部ｎに対して挿嵌部４３の端面が最も離間した状態、すなわち挿嵌部４３を受け部４２に対する最浅位置に差込む。
このとき、左右のルーバーベース３３に支持された左右ルーバー２２相互が支軸ｅを支点として先端側が互いに離間するように回動し、左右の左右ルーバー２２相互でいわゆるハの字状（末広がり状でもある）になる。
【００４３】
また、図８（Ｃ）に示すように、クラッチ機構３０を構成する受け部４２の壁面部ｎに挿嵌部４３の端面が当接する状態、すなわち挿嵌部４３を受け部４２に対する最深位置まで差込む。
このとき、左右のルーバーベース３３に支持された左右ルーバー２２相互が支軸ｅを支点として先端側が互いに近接するよう回動し、左右の左右ルーバー２２相互でいわゆる逆ハの字状（先細り状でもある）になる。
【００４４】
図８（Ａ）（Ｂ）（Ｃ）のいずれかに設定したうえで空調運転を開始すれば、あるいは空調運転中に上述の操作をなせば、左右ルーバー２２は各図の姿勢を基準にして首振り運動をなす。
すなわち、簡素な構成のクラッチ機構３０を備えて第１の駆動軸体２９と第２の駆動軸体３１との間に介在させることにより、左右のルーバーベース３３における左右ルーバー２２の方向を任意に設定でき、快適性の向上を図れる。
【００４５】
【発明の効果】
以上説明したように本発明によれば、自動可変型の風向案内装置を備え、左右ルーバーを室内機本体から容易に取外し可能として塵埃の除去等の作業ができ、その作業の終了後は再び室内機本体の所定の部位に左右ルーバーを容易に取付けられるようにして、作業性の向上を図れるなどの効果を奏する。
【図面の簡単な説明】
【図１】本発明の一実施の形態を示す、空気調和機の室内機の外観斜視図。
【図２】同実施の形態を示す、室内機の断面図。
【図３】同実施の形態を示す、室内機の吹出し口とその周辺部を拡大した断面図。
【図４】同実施の形態を示す、風向案内装置の一部を拡大した斜視図。
【図５】同実施の形態を示す、ノーズ部分に取付けられた状態で上方から見た風向案内装置の斜視図と、一方のみルーバーベースをノーズから取外した状態で下方から見た風向案内装置の斜視図。
【図６】同実施の形態を示す、風向案内装置の斜視図。
【図７】同実施の形態を示す、風向案内装置のクラッチ機構部分を拡大した斜視図。
【図８】同実施の形態を示す、それぞれ異なるクラッチ機構の状態と左右ルーバーの向きの関係を模式的に示す図。
【符号の説明】
４…前部吸込み口、
９…吹出し口、
１…室内機本体、
１０…熱交換器、
１３…室内送風機、
１８…送風路、
Ｓ…風向案内装置、
４０…駆動源（揺動モータ）、
２５…動力伝達機構、
２２…左右ルーバー、
３３…ルーバーベース。
【図１】
2004069165.tif 000003
【図２】
2004069165.tif 000004
【図３】
2004069165.tif 000005
【図４】
2004069165.tif 000006
【図５】
2004069165.tif 000007
【図６】
2004069165.tif 000008
【図７】
2004069165.tif 000009
【図８】
2004069165.tif 000010